(57)【要約】【課題】表面に加飾シートを貼着のために圧力を加えても、全体または部分的に変形が生じず、中空二重壁構造体の表面に加飾シートを強い密着強度をもって、特に被貼着面に凹凸や溝を有していてもその形状に沿って美麗に貼着することができる樹脂成形品およびその製造方法を提供する。【解決手段】熱可塑性樹脂製の中空二重壁構造体５の表面に加飾シート８を貼着した樹脂成形品である。中空部６に発泡体７を充填して表面に加わる圧力に対して剛性を高くする。中空二重壁構造体５の表面に加飾シート８を被せて、加飾シート８側から加熱しながら中空二重壁構造体５の表面と加飾シート８との間の空気を吸引し、中空二重壁構造体５の表面に加飾シート８を圧着しながら貼着する。【選択図】        図３
2004262089.tif 000002
【特許請求の範囲】
【請求項１】
熱可塑性樹脂製の中空二重壁構造体の表面に加飾シートを貼着した樹脂成形品であって、加飾シートを貼着する圧力に対して変形しないように中空部に補強を施して表面に加わる圧力に対して剛性を高くした中空二重壁構造体の表面に加飾シートを被せ、加飾シートを加熱しながら中空二重壁構造体の表面と加飾シートとの間の空気を吸引し、中空二重壁構造体の表面に加飾シートを圧着しながら貼着してなることを特徴とする樹脂成形品。
【請求項２】
中空二重壁構造体の中空部には、発泡体を充填して加飾シートを貼着する圧力に対して変形しないようにしたことを特徴とする請求項１に記載の樹脂成形品。
【請求項３】
中空二重壁構造体の中空部に、対向壁間に橋架するインナーリブからなる補強リブを形成したことを特徴とする請求項１または２に記載の樹脂成形品。
【請求項４】
中空二重壁構造体の対向する壁に、凹状リブからなる補強リブを形成したことを特徴とする請求項１ないし３のいずれかに記載の樹脂成形品。
【請求項５】
樹脂成形品は、浴室の壁面に装備される洗面器等の置台であることを特徴とする請求項１ないし４のいずれかに記載の樹脂成形品。
【請求項６】
熱可塑性樹脂製の中空二重壁構造体の表面に加飾シートを貼着した樹脂成形品の製造方法であって、ブロー成形により熱可塑性樹脂製の中空二重壁構造体を成形して、その中空二重壁構造体の中空部に加飾シートを貼着する圧力に対して変形しないように中空部に補強を施して表面に加わる圧力に対して剛性を高くし、上記補強を施した中空二重壁構造体の表面に、加飾シートを被せて、加飾シートを加熱しながら中空二重壁構造体の表面と加飾シートとの間の空気を吸引し、中空二重壁構造体の表面に加飾シートを圧着しながら貼着することを特徴とする樹脂成形品の製造方法。
【請求項７】
中空二重壁構造体の表面に対して加飾シートを圧着する加圧手段を併用することを特徴とする請求項６に記載の樹脂成形品の製造方法。
【請求項８】
ブロー成形された中空二重壁構造体の中空部に、成形された中空二重壁構造体の中空部に発泡体を充填して、加飾シートを貼着する圧力に対して変形しないようにすることを特徴とする請求項６または７に記載の樹脂成形品の製造方法。
【請求項９】
中空二重壁構造体のブロー成形工程において中空部に対向壁間に橋架するインナーリブからなる補強リブを形成したことを特徴とするする請求項６または８のいずれかに記載の樹脂成形品の製造方法。
【請求項１０】
中空二重壁構造体の対向する壁に、凹状リブからなる補強リブを形成したことを特徴とする請求項６ないし９のいずれかに記載の樹脂成形品の製造方法。
【発明の詳細な説明】
【０００１】
【発明の属する技術分野】
本発明は、浴室の壁面に装備される洗面器等の置台などの樹脂成形品であって、熱可塑性樹脂製の中空二重壁構造体の表面に加飾シートを貼着した樹脂成形品、およびその製造方法に関するものである。
【０００２】
【従来の技術】
パーティクルボードのような基盤表面に合成樹脂シートを被せ、基盤表面と合成樹脂シートの間の空気を吸引して基盤表面に合成樹脂シートを貼着する方法をよび成形品は、特開平７−２０５２７０号公報に、また、透明なプラスチックシートの裏面に印刷内容を転写させ、かつその裏面に塗膜を形成するプラスチック成形品およびその製造方法は、特開平１０−１２８８４０号公報に、それぞれ記載されている。
【０００３】
【発明が解決しようとする課題】
浴室内の壁面に装備する洗面器置台などは、その表面の意匠性のよいことが重要な要素となるので、樹脂成形品であっても表面に美麗な印刷などを施した加飾シートを貼着することが行われている。しかし、その樹脂成形品が中空二重壁構造の場合には、表面に加飾シートを貼着のために圧力を加えると、全体または部分的に変形が生じてしまい、加飾シートの貼着ができなかったり、また加飾シートを強い密着強度をもって貼着することが難しいのが実情であった。
【０００４】
そこで、本発明の目的は、成形品が熱可塑性樹脂の中空二重壁構造体であっても、加飾シートを貼着する圧力に対して変形しないように中空部に補強を施して表面に加わる圧力に対して剛性を高くすることにより、表面に加飾シートを貼着のために圧力を加えても、全体または部分的に変形が生じず、中空二重壁構造体の表面に加飾シートを強い密着強度をもって、特に被貼着面に凹凸や溝があってもその形状に沿って美麗に貼着することができる樹脂成形品およびその製造方法を提供するものである。
【０００５】
【課題を解決するための手段】
上記目的を達成するための本発明の請求項１に係る樹脂成形品は、熱可塑性樹脂製の中空二重壁構造体の表面に加飾シートを貼着した樹脂成形品であって、加飾シートを貼着する圧力に対して変形しないように中空部に補強を施して表面に加わる圧力に対して剛性を高くした中空二重壁構造体の表面に加飾シートを被せ、加飾シートを加熱しながら中空二重壁構造体の表面と加飾シートとの間の空気を吸引し、中空二重壁構造体の表面に加飾シートを圧着しながら貼着してなることを特徴とするものである。
【０００６】
本発明の請求項２に係る樹脂成形品は、請求項１に記載の構成において、中空二重壁構造体の中空部には、発泡体を充填して加飾シートを貼着する圧力に対して変形しないようにしたことを特徴とするものである。
【０００７】
本発明の請求項３に係る樹脂成形品は、請求項１または２に記載の構成において、中空二重壁構造体の中空部に、対向壁間に橋架するインナーリブからなる補強リブを形成したことを特徴とするものである。
【０００８】
本発明の請求項４に係る樹脂成形品は、請求項１ないし３のいずれかに記載の構成において、中空二重壁構造体の対向する壁に、凹状リブからなる補強リブを形成したことを特徴とするものである。
【０００９】
本発明の請求項５に係る樹脂成形品は、請求項１ないし４のいずれかに記載の構成において、樹脂成形品は、浴室の壁面に装備される洗面器等の置台であることを特徴とするものである。
【００１０】
また、本発明の請求項６に係る樹脂成形品の製造方法は、熱可塑性樹脂製の中空二重壁構造体の表面に加飾シートを貼着した樹脂成形品の製造方法であって、ブロー成形により熱可塑性樹脂製の中空二重壁構造体を成形して、その中空二重壁構造体の中空部に加飾シートを貼着する圧力に対して変形しないように中空部に補強を施して表面に加わる圧力に対して剛性を高くし、上記補強を施した中空二重壁構造体の表面に、加飾シートを被せて、加飾シートを加熱しながら中空二重壁構造体の表面と加飾シートとの間の空気を吸引し、中空二重壁構造体の表面に加飾シートを圧着しながら貼着することを特徴とするものである。
【００１１】
本発明の請求項７に係る樹脂成形品の製造方法は、請求項６に記載の方法において、中空二重壁構造体の表面に対して加飾シートを圧着する加圧手段を併用することを特徴とするものである。
【００１２】
本発明の請求項８に係る樹脂成形品の製造方法は、請求項６または７に記載の方法において、ブロー成形された中空二重壁構造体の中空部に、成形された中空二重壁構造体の中空部に発泡体を充填して、加飾シートを貼着する圧力に対して変形しないようにすることを特徴とする請求項６または７に記載の樹脂成形品の製造方法。
【００１３】
本発明の請求項９に係る樹脂成形品の製造方法は、請求項６ないし８のいずれかに記載の方法において、中空二重壁構造体のブロー成形工程において中空部に対向壁間に橋架するインナーリブからなる補強リブを形成したことを特徴とするものである。
【００１４】
本発明の請求項１０に係る樹脂成形品の製造方法は、請求項６ないし９のいずれかに記載の方法において、中空二重壁構造体の対向する壁に、凹状リブからなる補強リブを形成したことを特徴とするものである。
【００１５】
【発明の実施の形態】
図１ないし図３は本発明の一実施の形態に係る樹脂成形品として浴室の壁面に装備される洗面器置台を示し、図１は洗面器置台の全体斜視図、図２は同上裏面側から見た斜視図、図３は図１におけるＸ−Ｘ線断面図、図４は図３の破線円Ａで囲んだ部分の拡大断面図、図５は図１ないし図３に示すものの他例を示す一部の断面図である。また、図６ないし図９は本発明の一実施の形態に係る樹脂成形品の製造方法を示し、図６は中空二重壁構造体の表面に加飾シートを貼着する態様を示す断面図、図７は中空二重壁構造体を載置した治具を上昇させて中空二重壁構造体の表面に加飾シートを接触させた態様を示す断面図、図８は中空二重壁構造体の表面に加飾シートを貼着した態様を示す断面図、図９は加飾シートを貼着した中空二重壁構造体を取り出す態様を示す断面図である。
【００１６】
図１ないし図３において、１は本発明に係る洗面器置台である。この洗面器置台１は、浴室壁面に取り付けて使用するものであり、２はその取付用凹部、３は滑り止め用溝部、４は補強のための枠部であって全体の剛性を高くするためのものである。
【００１７】
洗面器置台１は、図２および図３に示すように、熱可塑性樹脂の中空二重壁構造体５の中空部６に発泡体７を充填したものを主体とし、中空二重壁構造体５の意匠面となる表面に加飾シート８を貼着して美麗に仕上げたものである。なお、中空二重壁構造体５には補強のための凹状リブを形成してもよい（図示せず）。
【００１８】
中空二重壁構造体５の中空部６に充填する発泡体７は、中空二重壁構造体５をブロー成形した後、その中空部６内に発泡樹脂材を注入して発泡させることにより、中空二重壁構造体５がその表面に加飾シート８を貼着する圧力によって変形しないように中空部６に補強を施し、中空二重壁構造体５をその表面に加わる圧力に対して剛性を高くする。なお、中空二重壁構造体５の中空部６に施す補強手段は他の適宜の構成であってもよい。
【００１９】
中空二重壁構造体５を構成する熱可塑性樹脂は、高密度ポリエチレン樹脂、ポリプロピレン樹脂、ポリスチレン樹脂、ＡＢＳ樹脂、ナイロン樹脂、ポリカーボネート樹脂、ポリエチレンテレフタート樹脂、ポリブチレンテレフタート樹脂あるいは変性ＰＰＯなどのエンジニアリングプラスチックおよびこれらのブレンド体である。
【００２０】
また、発泡体７は、発泡ポリエチレン、発泡ポリプロピレン、発泡ポリスチロールあるいは発泡ポリウレタンなどであるが、リサイクルのうえで発泡体４の材質は、中空二重壁構造体５と同材質であることが好ましい。
【００２１】
さらに、加飾シート８は、リサイクル性を考慮すると、中空二重壁構造体５と同材質であることが好ましが、特にそれに限定されるものではない。加飾シート８と中空二重壁構造体５との接着は、加飾シート８の中空二重壁構造体５側の面に感熱性の接着性樹脂からなる接着層を形成してもよいし、あるいはエマルジョンタイプの粘着性の接着剤であてもよい。また、予め中空二重壁構造体５の表面に上記接着剤を塗布しておいてもよい。
【００２２】
図１ないし図３に示す洗面器置台１には、図５に示すように、中空二重壁構造体５の対向する壁間を橋架する補強リブ９を形成して、中空二重壁構造体５の中空部６加飾シート８を貼着する圧力対して変形しないように剛性を高くした構成とすることができる。なお、この補強リブ９は、中空二重壁構造体５の中空部６内に隠れていて外部から見えない、いわゆるインナーリブである。
【００２３】
本発明に係る樹脂成形品である前記洗面器置台１は、ブロー成形され、かつ中空部６に発泡体７を充填した中空二重壁構造体５の表面に、図６ないし図９に示す工程で加飾シート８を貼着して構成する。
【００２４】
図６ないし図９において、１０は治具であって昇降台１１を備えている。治具１０上には中空部６に発泡体７を充填された中空二重壁構造体５が載置され、その周囲を上下二分割可能な密封カバー１２で覆う構成をなし、密封カバー１２内の上部には加熱体１３が配置されている。そして、密封カバー１２の上下分割部分には、加飾シート８を中空二重壁構造体５の表面と対向するように配置され、この状態において密封カバー１２内の空気を吸引排気する（図６参照）。
【００２５】
図６の状態から、昇降台１１を上昇させて、治具１０上に載置した中空二重壁構造体５の表面に加飾シート８が密接して緊迫する状態とし（図７参照）、加熱体１３により加熱を続けながら加飾シート８の下方の空間からさらに空気を吸引排出し（その構成は図示していない）、中空二重壁構造体５の表面と加飾シート８間の空気を抜いて中空二重壁構造体５の表面に加飾シート８を貼着のための所要の圧力で密着させる（図８参照）。なお、この工程において密封カバー１２の上部空間に加圧流体を導入して中空二重壁構造体５の表面に対して加飾シート８を圧着する手段を併用してもよい。なお、密封カバー１２内の空気を吸引排気する手段では１気圧を超える圧力状態とならないが、加圧手段の併用により大きい圧力を得ることができるので、中空二重壁構造体５の表面形状がたとえ複雑であっても、加飾シート８をその形状に確実に沿わせて貼着することができる。
【００２６】
以上の工程で中空二重壁構造体５の表面に加飾シート８が貼着されたならば、密封カバー１２を開いて中空二重壁構造体５を取り出し（図９参照）、以後所要の後加工を施して図１に示す洗面器置台１を完成させる。
【００２７】
中空二重壁構造体５の補強手段としては、中空二重壁構造体５の対向する壁の一方または両方に凹状リブ（図示せず）を形成したものとであってもよいが、凹状リブは中空二重壁構造体５の裏面側に形成するのが外観上好適である。
【００２８】
本発明に係る樹脂成形品の製造方法によれば、熱可塑性樹脂の中空二重壁構造体５の中空部６に発泡体７を充填したものに、表面に加飾シート８を貼着するので、貼着のために圧力を十分加えても、全体または部分的に変形が生じず、中空二重壁構造体５の表面には加飾シート８が強い密着強度をもって貼着され、特に被貼着面に凹凸や溝があってもその形状に沿って美麗に貼着することができる。
【００２９】
【発明の効果】
本発明によれば、成形品が熱可塑性樹脂の中空二重壁構造体であっても、加飾シートを貼着する圧力に対して変形しないように中空部に補強を施して表面に加わる圧力に対して剛性を高くすることにより、表面に加飾シートを貼着のために圧力を加えても、全体または部分的に変形が生じず、中空二重壁構造体の表面に加飾シートを強い密着強度をもって、特に被貼着面に凹凸や溝があってもその形状に沿って美麗に貼着することができる樹脂成形品が得られる。
【図面の簡単な説明】
【図１】本発明の一実施の形態に係る樹脂成形品として浴室の壁面に装備される洗面器置台を示す全体斜視図である。
【図２】同上裏面側から見た斜視図である。
【図３】図１におけるＸ−Ｘ線断面図である。
【図４】図３の破線円Ａで囲んだ部分の拡大断面図である。
【図５】図１ないし図３に示すものの他例を示す一部の断面図である。
【図６】本発明の一実施の形態に係る樹脂成形品の製造方法を示し、中空二重壁構造体の表面に加飾シートを貼着する態様の断面図である。
【図７】中空二重壁構造体を載置した治具を上昇させて中空二重壁構造体の表面に加飾シートを接触させた態様を示す断面図である。
【図８】中空二重壁構造体の表面に加飾シートを貼着した態様を示す断面図である。
【図９】加飾シートを貼着した中空二重壁構造体を取り出す態様を示す断面図である。
【符号の説明】
１  洗面器置台
２  取付用凹部
３  滑り止め用溝部
４  枠部
５  中空二重壁構造体
６  中空部
７  発泡体
８  加飾シート
９  補強リブ
１０  治具
１１  昇降台
１２  密封カバー
１３  加熱体
【図１】
2004262089.tif 000003
【図２】
2004262089.tif 000004
【図３】
2004262089.tif 000005
【図４】
2004262089.tif 000006
【図５】
2004262089.tif 000007
【図６】
2004262089.tif 000008
【図７】
2004262089.tif 000009
【図８】
2004262089.tif 000010
【図９】
2004262089.tif 000011